(57)【要約】通信サービスに対するアクセスを許可する方法及び通信サービスに対するアクセスを許可する構成を要求する方法が示される。一実施形態に係る前者の方法は、移動通信ネットワークが特定の領域にて提供する通信サービスの使用を求める要求を移動通信ネットワークの加入者端末から受信するステップと、加入者端末のサブスクリプション及び／又は運営者ポリシに基づいて、加入者端末が特定の領域にて通信サービスを使用することを認可されているか否かを決定するステップと、加入者端末のサブスクリプション及び／又は運営者ポリシに基づいて、加入者端末が特定の領域にて通信サービスを使用することを認可されているか否かに応じて、加入者端末が通信サービスにアクセスすることを許可するステップと、を含む。また、加入者による特定の領域での通信サービスの使用のために特定の領域を構成する手法が説明される。【選択図】図９
2020500433.tif 000002
【特許請求の範囲】
【請求項１】
通信サービスに対するアクセスを許可するための方法であって、
移動通信ネットワークの加入者端末から、前記移動通信ネットワークが特定の位置で提供する、前記特定の位置における通信サービスの使用を求める要求を受信するステップと、
前記加入者端末のサブスクリプション及び／又は前記移動通信ネットワークの運営者のポリシに基づいて、前記加入者端末が前記特定の位置において前記通信サービスを使用することを認可されるか否かを決定するステップと、
前記加入者端末の前記サブスクリプション及び／又は前記移動通信ネットワークの運営者のポリシに基づいて、前記加入者端末が前記特定の位置において前記通信サービスを使用することを認可されるか否かに応じて、前記加入者端末が前記通信サービスにアクセスすることを許可するステップと、
を含む、通信サービスに対するアクセスを許可するための方法。
【請求項２】
前記加入者端末が前記特定の位置において前記通信サービスを使用することを認可されるか否かを決定するステップは、さらに、
サードパーティサービスプロバイダによる要求に基づいて、実行される、請求項１に記載の通信サービスに対するアクセスを許可するための方法。
【請求項３】
前記特定の位置は、登録エリア又はトラッキングエリアである、請求項１又は２に記載の通信サービスに対するアクセスを許可するための方法。
【請求項４】
１つ又は複数の通信サービスの各々及び１つ又は複数の特定の位置の各々について、前記加入者端末が前記特定の位置において前記通信サービスを使用することを認可されるか否かを指定する情報を、前記加入者端末に送信するステップ、
をさらに含む、請求項１〜３のいずれか一項に記載の通信サービスに対するアクセスを許可するための方法。
【請求項５】
前記移動通信ネットワークは、コアネットワーク及び／又は無線アクセスネットワークにおける、ネットワークスライスによって前記通信サービスを提供する、請求項１〜４のいずれか一項に記載の通信サービスに対するアクセスを許可するための方法。
【請求項６】
前記通信サービスを使用することを認可されている前記加入者端末は、
コアネットワーク及び／又は無線アクセスネットワークにおける、ネットワークスライスにアクセスすることを認可されている加入者端末、
を含む、請求項１〜５のいずれか一項に記載の通信サービスに対するアクセスを許可するための方法。
【請求項７】
前記加入者端末のサブスクリプション及び／又は前記移動通信ネットワークの運営者のポリシに基づいて、前記加入者端末が前記特定の位置において前記通信サービスを使用することを認可されるか否かを決定するステップは、ネットワークスライスエリア制限情報を決定するステップを含み、
前記加入者端末は、前記ネットワークスライスエリア制限情報に基づいて、前記通信サービスにアクセスすることを許可される、請求項１〜６のいずれか一項に記載の通信サービスに対するアクセスを許可するための方法。
【請求項８】
前記ネットワークスライスエリア制限情報は、
コアネットワーク又は無線アクセスネットワークにおける、１つ又は複数のネットワークスライスの各々、及び、１つ又は複数の特定の位置の各々について、前記加入者端末が前記特定の位置において前記ネットワークスライスにアクセスすることを認可されるか否かを指定する、
請求項７に記載の通信サービスに対するアクセスを許可するための方法。
【請求項９】
ネットワークスライスエリア制限情報を前記加入者端末に送信するステップ、
をさらに含む、請求項１〜８のいずれか一項に記載の通信サービスに対するアクセスを許可するための方法。
【請求項１０】
移動通信ネットワークが特定の位置で提供する通信サービスであって当該特定の位置における通信サービス、の使用を求める要求を、前記移動通信ネットワークの加入者端末から受信するように構成されている受信機と、
前記加入者端末のサブスクリプション及び／又は前記移動通信ネットワークの運営者のポリシに基づいて、前記加入者端末が前記特定の位置において前記通信サービスを使用することを認可されるか否かを決定するように構成されている決定手段と、
前記加入者端末の前記サブスクリプション及び／又は前記移動通信ネットワークの運営者のポリシに基づいて、前記加入者端末が前記特定の位置において前記通信サービスを使用することを認可されるか否かに応じて、前記加入者端末が前記通信サービスにアクセスすることを許可するように構成されているアクセスコントローラと、
を備える、移動通信ネットワーク要素構成。
【請求項１１】
加入者端末が、１つ又は複数の通信サービスの各々及び１つ又は複数の特定の位置の各々について、前記加入者端末のサブスクリプション及び／又は移動通信ネットワーク運営者のポリシに基づいて、前記加入者端末が前記特定の位置において前記通信サービスを使用することを認可されるか否かを指定する情報を、移動通信ネットワークから受信するステップと、
前記加入者端末が、前記情報に基づいて特定の位置における通信サービスの使用を要求するステップと、
を含む、通信サービスを要求するための方法。
【請求項１２】
前記加入者端末が前記特定の位置において前記通信サービスを使用することを認可されていない場合に、前記加入者端末が、前記特定の位置において前記通信サービスを使用することの要求を回避するステップ、
を含む、請求項１１に記載の通信サービスを要求するための方法。
【請求項１３】
移動通信システムの加入者端末であって、
１つ又は複数の通信サービスの各々及び１つ又は複数の特定の位置の各々について、前記加入者端末のサブスクリプション及び／又は移動通信ネットワークの運営者のポリシに基づいて、前記加入者端末が前記特定の位置において前記通信サービスを使用することを認可されるか否かを指定する情報を、移動通信ネットワークから受信するように構成されている受信機と、
前記情報に基づいて特定の位置における通信サービスの使用を要求するように構成されている送受信機と、
を備える、移動通信システムの加入者端末。
【請求項１４】
移動通信ネットワークが特定の位置において提供する通信サービスを加入者端末が使用することを認可することが、前記加入者端末のサブスクリプション及び／又はアクセスポリシに基づくべきであることを指定する要求を、前記移動通信ネットワークに送信するステップ、
を含む、通信サービスに対するアクセスを許可する構成を要求するための方法。
【請求項１５】
移動通信ネットワークが特定の位置において提供する通信サービスを加入者端末が使用することを認可することが、前記加入者端末のサブスクリプション及び／又はアクセスポリシに基づくべきであることを指定する要求を、前記移動通信ネットワークに送信するように構成されている送信機、
を備える、通信サービスに対するアクセスを許可する構成を要求するための通信ネットワーク要素。
【発明の詳細な説明】
【技術分野】
【０００１】
本開示は、通信サービスに対するアクセスを許可するための方法、通信サービスに対するアクセスを許可する構成を要求するための方法、移動通信ネットワーク構成要素構成及び加入者端末に関する。
【背景技術】
【０００２】
５Ｇによる移動無線通信ネットワークのコアネットワークは、一般的に複数のコアネットワークスライスを含み、各コアネットワークスライスは、Ｖ２Ｘ（ビークルツーエブリシング（Ｖｅｈｉｃｌｅ−ｔｏ−Ｅｖｅｒｙｔｈｉｎｇ））又はｅＭＢＢ（高度モバイルブロードバンド）のような、特定の通信サービスを提供する役割を果たす。特定の通信サービスは、ある特定の領域においてすべてのユーザによってアクセスすることができないことが望ましい場合がある。例えば、車両関連通信サービス（例えば、Ｖ２Ｘサービス）は、ＵＥが特定の地理的エリアにおいてそのような車両関連通信サービスのためのサブスクリプション（ｓｕｂｓｃｒｉｐｔｉｏｎ）を有していないという理由に起因して、そのエリアにおいて特定のＵＥ又は特定のＵＥ群によってアクセスすることができないことが望ましい場合がある。別の例として、ドローンの間での通信のための通信サービスは、空港のような警備の厳重なエリアにおいては、小荷物配達サービスのドローンによって使用することができないことが望ましい場合がある。したがって、そのような使用事例を支持することを可能にする機構が望ましい。
【発明の概要】
【０００３】
一実施形態によれば、移動通信ネットワークの加入者端末から、移動通信ネットワークが特定の領域において提供する、特定の領域における通信サービスの使用を求める要求を受信するステップと、加入者端末のサブスクリプション及び／又は移動通信ネットワーク運営者のポリシに基づいて、加入者端末が、特定の領域において通信サービスを使用することを認可されているか否かを決定するステップと、加入者端末のサブスクリプション及び／又は移動通信ネットワーク運営者のポリシに基づいて、加入者端末が、特定の領域において通信サービスを使用することを認可されているか否かに応じて、加入者端末が通信サービスにアクセスすることを許可するステップと、を含む、通信サービスに対するアクセスを許可するための方法通信サービスが提供される。
【０００４】
一実施形態によれば、加入者端末が、移動通信ネットワークから、１つ又は複数の通信サービスの各々及び１つ又は複数の特定の領域の各々について、加入者端末のサブスクリプション及び／又は移動通信ネットワーク運営者のポリシに基づいて、特定の領域において通信サービスを使用することを認可されているか否かを指定する情報を受信するステップを含み、加入者端末が、上記情報に基づいて特定の領域において通信サービスを使用することを要求するステップを含む、通信サービスを要求するための方法が提供される。
【０００５】
さらなる実施形態によれば、上記の方法による移動通信ネットワーク構成要素構成及び加入者端末が提供される。
【０００６】
図面において、同様の参照符号は、概して異なる複数の図全体を通じて同じ部分を参照する。図面は、必ずしも原寸に比例してはおらず、むしろ、概して本発明の原理を説明していることが強調されるものである。以下の説明において、様々な態様を、以下の図面を参照して説明する。
【図面の簡単な説明】
【０００７】
【図１】無線通信システムを示す図である。
【図２】ネットワークスライスが特定のエリアに配備されている構成の一例を示す図である。
【図３】高レベル登録手順を示すメッセージフロー図である。
【図４】トラッキングエリアレベルにおけるネットワークスライスエリア制限（ＮＥＳＡＲ：ＮＥｔｗｏｒｋ  Ｓｌｉｃｅ  Ａｒｅａ  Ｒｅｓｔｒｉｃｔｉｏｎ）を示す図である。
【図５】アクセス及びモビリティ管理機能（ＡＭＦ）及び／又はネットワークスライス選択機能（ＮＳＳＦ）において利用可能なローカルポリシに基づく実施態様、並びに、ＲＡＮ（無線アクセスネットワーク）を介したＵＥへのネットワークスライスエリア制限（ＮＥＳＡＲ）情報の提供を示すメッセージフロー図である。
【図６】ポリシ制御機能（ＰＣＦ）増強に基づく実施態様、並びに、ＲＡＮを介したＡＭＦへの、及び、その後さらにＵＥへのネットワークスライスエリア制限（ＮＥＳＡＲ）情報の提供を示すメッセージフロー図である。
【図７】移動通信ネットワークの外部のアプリケーション機能による移動通信ネットワークにおけるネットワークスライスエリア制限の構成を示すフロー図である。
【図８】サードパーティＡＡＡ（認証、認可及びアカウンティング）サーバによるネットワークスライスエリア制限の構成を求める要求を示すフロー図である。
【図９】通信サービスに対するアクセスを許可するための方法を示すフロー図である。
【図１０】移動通信ネットワーク構成要素構成を示す図である。
【図１１】通信サービスを要求するための方法を示すフロー図である。
【図１２】移動通信システムの加入者端末を示す図である。
【発明を実施するための形態】
【０００８】
以下の詳細な説明は、例示として、本発明を実践することができる本開示の特定の詳細及び態様を示す、添付の図面を参照する。他の態様を利用することができ、本発明の範囲から逸脱することなく、構造的、論理的及び電気的な変更を為すことができる。本開示のいくつかの態様は新たな態様を形成するために本開示の１つ又は複数の他の態様と組み合わされてもよいため、本開示の様々な態様は、必ずしも相互に排他的ではない。
【０００９】
図１は、無線通信システム１００を示す。
【００１０】
無線通信システム１００は、ＵＥ（ユーザ機器）、ナノ機器（ｎａｎｏ  ｅｑｕｉｐｍｅｎｔ）（ＮＥ）などのような移動無線端末デバイス１０２を含む。加入者端末としても参照される移動無線端末デバイス１０２は、端末側を形成し、一方で、以下に記載される無線通信システム１００の他の構成要素は、移動無線通信ネットワーク側の一部分、すなわち、移動無線通信ネットワークの一部分である。
【００１１】
さらに、無線通信システム１００は、無線アクセスネットワーク１０３を含み、無線アクセスネットワーク１０３は、複数の無線アクセスネットワークノード、すなわち、５Ｇ（第５世代）無線アクセス技術（５Ｇ  Ｎｅｗ  Ｒａｄｉｏ）に従って無線アクセスを与えるように構成されている基地局を含んでもよい。無線通信システム１００はまた、ＬＴＥ（ロングタームエボリューション）又は別の移動無線通信規格に従って構成されてもよいが、本明細書においては５Ｇが一例として使用されることに留意されたい。各無線アクセスネットワークノードは、エアインターフェースを介して無線通信端末デバイス１０２との無線通信を提供することができる。無線アクセスネットワーク１０３は、任意の数の無線アクセスネットワークノードを含んでもよいことが留意されるべきである。
【００１２】
無線通信システム１００は、ＲＡＮ１０３に接続されているアクセス及びモビリティ管理機能（ＡＭＦ）１０１と、統合データ管理（ＵＤＭ）１０４と、ネットワークスライス選択機能（ＮＳＳＦ）１０５とを含むコアネットワークをさらに含む。ここで、及び、以下の例において、ＵＤＭは、例えば、ＵＤＲ（統合データリポジトリ）として知られている、実際のＵＥのサブスクリプションデータベースからさらに構成することができる。コアネットワークは、ＡＵＳＦ（認証サーバ機能）１１４及びＰＣＦ（ポリシ制御機能）１１５をさらに備える。
【００１３】
コアネットワークは、複数のネットワークスライス１０６、１０７を有することができ、各ネットワークスライス１０６、１０７について、オペレータは、複数のネットワークスライスインスタンス（ＮＳＩ）１０８、１０９を作成することができる。この実施例において、コアネットワークは、高度モバイルブロードバンド（ｅＭＢＢ）を提供するための３つのコアネットワークスライスインスタンス（ＣＮＩ）１０８を有する第１のコアネットワークスライス１０６と、ビークルツーエブリシング（Ｖ２Ｘ）を提供するための３つのコアネットワークスライスインスタンス（ＣＮＩ）１０９を有する第２のコアネットワークスライス１０７とを備える。
【００１４】
一般的に、ネットワークスライスが展開されると、ネットワーク機能（ＮＦ）がインスタンス化され、又は、（すでにインスタンス化されている場合は）ネットワーク機能を形成するために参照され、ネットワークスライスインスタンスに属するネットワークスライスインスタンス（ＮＳＩ）がネットワークスライスインスタンス識別情報を用いて構成されている。
【００１５】
具体的には、この実施例において、第１のコアネットワーク１０６の各インスタンス１０８は、第１のセッション管理機能（ＳＭＦ）１１０及び第１のユーザプレーン機能（ＵＰＦ）１１１を備え、第２のコアネットワークスライスインスタンス１０７の各インスタンス１０９は、第２のセッション管理機能（ＳＭＦ）１１２及び第２のユーザプレーン機能（ＵＰＦ）１１３を備える。
【００１６】
ＵＥが、特定の（地理的）領域においてのみ、特定のネットワークスライス１０６、１０７にアクセスすることができることが望ましい状況が存在する。
【００１７】
図２は、ネットワークスライスアクセスが、特定の（地理的）エリアにおいて運営者の移動ネットワーク内で展開される例を示す。
【００１８】
この例において、移動通信ネットワークのコアネットワークの３つのネットワークスライス２０１、２０２、２０３が存在し、移動通信ネットワークのカバレッジエリアは、ＴＡ１〜ＴＡ１１として示される１１個のトラッキングエリア２０４を含み、ＴＡ１〜ＴＡ５は第１の登録エリア２０５の部分であり、ＴＡ７〜ＴＡ１１は第２の登録エリア２０６の部分であり、ＴＡ６は、両方の登録エリア２０５、２０６の部分である。
【００１９】
第１のネットワークスライス２０１及び第２のネットワークスライス２０２は両方の登録エリア２０６、２０７において利用可能であるが、第３のネットワークスライス２０３は、第１の登録エリア２０５においてのみ利用可能である。
【００２０】
ＵＥ２０７は、運営者のネットワーク（利用可能な場合）のどこからでも第１のネットワークスライス２０１及び第３のネットワークスライス２０３にアクセスするためのサブスクリプションを有することができるが、ＵＥ２０７は、例えば、特定の領域においてのみ、この例では第１の登録領域２０５においてのみ、第２のネットワークスライス２０２にアクセスするためのサブスクリプションを有する。
【００２１】
このようなアクセスのために、様々な実施形態によれば、運営者が、ＵＥ２０７がサブスクリプションを有する特定のネットワークスライスへのＵＥ２０７によるアクセスを、特定のエリアに制限することを可能にする（例えば、ＵＥ２０７が第２の登録エリア２０６において第２のネットワークスライス２０２にアクセスすることは認可しない）ための機構が提供される。
【００２２】
そのような制限の可能な使用事例は、ローカルＶ２Ｘサービス機関（例えば、「スマートシティ」状況における）であり、この事例においては、ＵＥタイプとして動作する自動車が、ＰＬＭＮ（公衆地上移動ネットワーク）のエリア全体にわたるｅＭＢＢサービスに対するサブスクリプションを有するが、ローカル機関によって提供される特定のエリアにおいてのみ、Ｖ２Ｘサービスに対するサブスクリプションを有する。
【００２３】
Ｖ２Ｘの文脈における別の使用事例は、同じ企業からの異なるクラスの顧客に対するＶ２Ｘスライス制限である。例えば、自動車製造業者は、以下の異なるクラスの顧客にサービスするように設計されている運営者の移動無線通信ネットワークに展開されるＶ２Ｘネットワークスライスを有することができる。
・プレミアムＶ２Ｘ顧客、移動無線通信ネットワーク全体（利用可能な場合）にわたってＶ２Ｘサービスを使用することが可能。
・標準Ｖ２Ｘ顧客、特定のエリアにおいてのみＶ２Ｘサービスを使用することが可能。そのような標準Ｖ２Ｘ顧客は、自身が居住しているエリアの外部で頻繁に運転せず、したがって、プレミアムＶ２Ｘサービスの料金を支払う必要のない人間であり得る。
【００２４】
プレミアムＶ２Ｘ顧客が複数の都市にまたがって移動するとき、顧客のサブスクリプションプロファイルを考慮に入れて、顧客は複数の都市にまたがってＶ２Ｘを使用し続けることが可能になる。対照的に、標準Ｖ２Ｘ顧客について、顧客が第１の都市ＡのエリアにおけるＶ２Ｘサービスのみに加入している場合、顧客が第２の都市へと運転するとき、顧客は、自身のＶ２Ｘサービスのサブスクリプションタイプに起因して、Ｖ２Ｘサービスを使用し続けることが可能でなくなる。
【００２５】
別の可能な使用事例は、ゲーミングホットスポット（ｇａｍｉｎｇ  ｈｏｔ  ｓｐｏｔ）である。ＵＥのサブスクリプションに基づいて、顧客は、特定のエリアにおいて、自身の携帯電話を介して他者とのゲームプレイに参加することのみを認可され得る。ゲーミングサービスは、例えば、ＰＬＭＮにおいて利用可能であるが、特定の位置のゲーミングサブスクリプションサービスを有するＵＥに制限される特定のネットワークスライスによってサービスされる。
【００２６】
さらなる使用事例は、特定のＵＥ群のためのドローン操作のための制限されたゾーンである。例えば、ドローンを操作するためのネットワークスライスは、任意のＵＥ（すなわち、任意の顧客）が使用を所望し得るＰＬＭＮ全体において利用可能である。しかしながら、特定のＵＥ群のみが、制限されたエリアにおいてドローンを操作することを認可され、例えば、空港の職員のみが、空港のエリアにおいてドローンを操作することを認可される。
【００２７】
ドローンに特定的な規制面が存在することが留意されるべきである。２つのタイプの「ドローンＵＥ」、すなわち、空中使用について資格を与えられたセルラモジュールを装備したドローン、及び、地上操作についてのみ資格を与えられたセルラモジュールを担持するドローンが、現在一般的に現場で観察することができる。しかしながら、後者による使用は、特定の領域においては規制の観点から容認されない場合があり、この領域は、国家レベル、ＰＬＭＮレベル（ある運営者はそのような航空車両が可能であるのに対して、別の運営者は可能でない）、又はさらにはＲＡ／ＴＡレベル（例えば、私的使用又は営利企業からの航空車両は、例えば、空港／軍事基地のような慎重に対処すべき又はセキュリティ対策が必要な特定の位置において操作されることを認可されない）における領域を参照し得る。そのような場合、そのようなＵＥからのアップリンク信号は電波妨害と考えられる場合がある。
【００２８】
これに関連して、いずれのタイプの空中ＵＥが特定の領域においてセルラネットワークに接続することを認可されるか又は認可されないかを指定することが望ましい場合がある。（例えばＬＴＥネットワークを使用して）航空車両をサポートするために必要な増強を研究する目的の１つは、空中ＵＥが航空使用について資格を与えられるか否かを指定することである。例えば、基地局は、コアネットワークからのシグナリング（例えば、モビリティ管理エンティティからのＳ１シグナリング）に基づいてＵＥが資格を与えられる（与えられない）ことについてアウェアである。そのような情報は、ＲＡＮによって、例えば、航空ＵＥに対する適切な制御を実施するために、又は、航空ＵＥとして動作すべきではないＵＥを特定するために使用することができる。ＲＡＮ（例えば、基地局）に与えられる、ＵＥが航空ＵＥであるとして資格を与えられる／許諾を与えられる／認可されるか否かに関する情報は、ＵＥの位置に基づくことができる。
【００２９】
ネットワークスライスに対するＵＥのアクセスを特定の（地理的）領域に制限するための手法は、ネットワークスライシング概念を考慮することによって、ＲＡ／ＴＡレベルにおいて航空車両を制限するために使用することができる。この手法は、例えば、５Ｇ通信システムに適用可能であり得る。
【００３０】
例えば、ドローンサービスに加入している異なるクラス又はタイプの顧客に対するドローンスライス制限を実施することができる。ドローンサービス提供者は、例えば、移動ネットワーク運営者に、ドローンの操作に特定的なネットワークスライスを展開するよう求めることができる。ドローン操作ネットワークスライスは、運営者のネットワークのＰＬＭＮ全体に展開され、例えば以下のような、ドローンサービス提供者によって提供されるドローンサービスに加入している異なるクラス又はタイプの顧客が存在する。
・機関の職員、運営者のネットワークのどこからでも、ドローン特有のネットワークスライスにアクセスすることができるドローンを操作する。
・小荷物配達サービスからのユーザ、慎重に対処しなくてもよいエリア又は高度のセキュリティを必要としないエリアにおいてのみ、ドローン特有のネットワークスライスにアクセスすることができるドローンを操作する。
【００３１】
機関からの職員によって操作されるドローンが、セキュリティの高いエリアである、空港のエリアに入るとき、ドローンは飛行し続けることができ、ドローン特有のネットワークスライスにアクセスすることが可能である。
【００３２】
対照的に、小荷物配達サービスからのユーザによって操作されるドローンが空港のエリアに入るとき、ドローンは、直ちに飛行を停止するか、若しくは、ドローンが空港エリアに入る前のエリアに戻るように、運営者側の警告を受け続けるかのいずれかであり（応答的手法）、又は、空港エリアに入る前に、ドローンのユーザは、それぞれのトラッキングエリア若しくは登録エリアが、侵入されることを認可されず、したがって、ユーザが小荷物を配達するための宛先に到達するための代替的な経路を探すべきであるという警告を受ける。
【００３３】
３ＧＰＰ（第３世代パートナーシッププロジェクト）によれば、サービスエリア制限は、ＵＥが移動通信ネットワークによる通信を開始することができる又はできないエリアを定義するために使用することができることが留意されるべきである。認可されるエリアにおいて、ＵＥは、ＵＥのサブスクリプションによって認可されるように、移動通信ネットワークによる通信を開始することを容認される。認可されないエリアにおいて、ＵＥは、ＵＥのサブスクリプションに基づいて制限される。ＵＥ及び移動通信ネットワークは、この場合、ユーザサービスを得るためのいかなるサービス要求又はいかなるセッション管理（ＳＭ）シグナリング（例えば、ＰＤＵセッション確立要求）を開始することも認可されない。サービスエリア制限は、１つ又は複数の（例えば、１６個までの）全体的なトラッキングエリアを含むことができる。ＵＤＭ（統合データ管理）に記憶されているＵＥのサブスクリプションは、明示的なトラッキングエリアのアイデンティティを使用して認可される又は認可されないエリアを含むことができる。認可されるエリアはまた、トラッキングエリアの最大認可数によっても制限され得、又は、無制限であるように構成され得る、すなわち、ＰＬＭＮのすべてのトラッキングエリアを含むことができる。ＡＭＦは、ＵＤＭから、ＰＣＦ（ポリシ制御機能）によってさらに調整され得るサービスエリア制限をフェッチする。ＰＣＦ又はＵＤＭは、サービス制限エリアを更新することができる。ＡＭＦは、ＵＥ及びＲＡＮにサービスエリア制限を提供する。しかしながら、このサービスエリア制限は、運営者のポリシに基づいて特定のエリアにおける特定のネットワークスライスへのユーザによるアクセスを制限することを可能にしない。
【００３４】
様々な実施形態によれば、例えば、ＵＥが、スイッチオンされるか、又は、新たな基地局に移動するときに実施する登録手順の過程において、ネットワークスライスへのアクセスを許可及び拒絶することができる。加えて、そのような特定のネットワークスライスへのアクセスの許可又は拒絶は、ＵＥがネットワークスライスのＰＤＵセッションを確立することを求める要求を送信するときに、実施することができる。
【００３５】
図３は、高レベルの登録手順を示すメッセージフロー図３００を示す。
【００３６】
メッセージフローは、ＵＥ３０１、ＲＡＮ３０２、ＡＭＦ３０３、ＵＤＭ４０４、及びＮＳＳＦ３０５の間で行われる。
【００３７】
３０６において、ＵＥ３０１が、ＲＡＮ３０２を介してＡＭＦ３０３に登録要求を送信する。登録要求は、ＵＥが登録を所望する１つ又は複数のネットワークスライスを示す、１つ又は複数の要求されているＳ−ＮＳＳＡＩを含むＮＳＳＡＩ（ネットワークスライス選択支援情報）を含む。
【００３８】
Ｓ−ＮＳＳＡＩ（単一ネットワークスライス選択支援情報）は、ネットワークスライスを特定し、
・機構及びサービスに関して予測されるネットワークスライス挙動を参照するスライス／サービスタイプ（ＳＳＴ）、
・同じスライス／サービスタイプの複数のネットワークスライスの間で区別するためにスライス／サービスタイプを補完する任意選択の情報であるスライスディファレンシエータ（ＳＤ）、
から構成される。
【００３９】
認可されているＮＳＳＡＩは、例えば、登録手順の間にサービス供給しているＰＬＭＮ（地上波公共移動通信ネットワーク）によってもたらされるＮＳＳＡＩであり、これは、現在の登録エリアにおいてサービス供給しているＰＬＭＮにおいてＵＥに対してネットワークによって認可されるＮＳＳＡＩを示す。
【００４０】
構成されているＮＳＳＡＩは、ＵＥにおいて設定されているＮＳＳＡＩである。
【００４１】
要求されているＮＳＳＡＩは、ＵＥがネットワークに提供することができるＮＳＳＡＩである。
【００４２】
加入されているＳ−ＮＳＳＡＩは、ＵＥがＰＬＭＮにおいて使用するために加入されている、加入者情報に基づくＳ−ＮＳＳＡＩである。
【００４３】
３０７及び３０８において、ＡＭＦ３０３が、ＵＥが加入しているネットワークスライスを示す、加入されているＮＳＳＡＩをＵＤＭ３０４から取り出す。
【００４４】
３０９において、ＡＭＦ３０３又はＮＳＳＦ３０５が、加入されているＳ−ＮＳＳＡＩに基づいて容認される、要求されているＮＳＳＡＩ内のＳ−ＮＳＳＡＩのリストである、認可されているＮＳＳＡＩを判定する。
【００４５】
３１０において、ＡＭＦ３０３が、認可されているＮＳＳＡＩとともに、ＵＥ３０１に登録承認を送信する。
【００４６】
ＡＭＦ３０３は、認可されているＮＳＳＡＩに含まれない、要求されているＳ−ＮＳＳＡＩを示すことができ、拒絶が永続的である（例えば、Ｓ−ＮＳＳＡＩはＰＬＭＮにおいてサポートされない、すなわち、永続的に拒絶されているＳ−ＮＳＳＡＩである）か、又は、一時的である（例えば、Ｓ−ＮＳＳＡＩは、登録エリアにおいて現在利用可能でない、すなわち、一時的に拒絶されているＳ−ＮＳＳＡＩである）かを示すことができる。
【００４７】
様々な実施形態によれば、たとえネットワークスライスがこの特定のエリアにおいて利用可能である（すなわち、展開されている、すなわち、運営者のポリシが認可する適切なサブスクリプションを有するＵＥによって使用することができる）場合であっても、ＵＥが、ＵＥのサブスクリプションプロファイル及び運営者のポリシに基づいて特定のネットワークスライスにアクセスすることを認可される又は認可されないエリアの構成を可能にする、ネットワークスライスエリア制限（ＮＥＳＡＲ）機構が使用される。
【００４８】
図４は、トラッキングエリアレベルにおけるネットワークスライスエリア制限を示す。
【００４９】
図２の状況と同様に、移動通信ネットワークのコアネットワークの３つのネットワークスライス４０１、４０２、４０３が存在し、移動通信ネットワークのカバレッジエリアは、ＴＡ１〜ＴＡ１１として示される１１個のトラッキングエリア４０４を含み、ＴＡ１〜ＴＡ５は第１の登録エリア４０５の部分であり、ＴＡ７〜ＴＡ１１は第２の登録エリア４０６の部分であり、ＴＡ６は、両方の登録エリア４０５、４０６の部分である。
【００５０】
図２の記載と同様に、第１のネットワークスライス４０１及び第２のネットワークスライス４０２は両方の登録エリア４０６、４０７において利用可能であるが、第３のネットワークスライス４０３は、第１の登録エリア４０５においてのみ利用可能である。
【００５１】
図４においては、トラッキングエリアレベルにおけるスライス使用の制限が存在する。
【００５２】
制限は、ＵＥ４０７及びネットワークスライス４０１、４０２、４０３に対して、それぞれのネットワークスライスについて、ＵＥ４０７にとっていずれのトラッキングエリアが制限されているかを示す、（ネットワークスライスエリア制限（ＮＥＳＡＲ）テーブル４０８（又は一般的にＮＥＳＡＲ情報）によって与えられる。
【００５３】
この例において、第１のネットワークスライス４０１に対する制限はなく、ＵＥ４０７は、トラッキングエリアＴＡ８〜ＴＡ１１において第２のネットワークスライス４０２を使用することができず（斜線エリアによって示すように）、ＵＥ４０７は、トラッキングエリアＴＡ３、ＴＡ４及びＴＡ６〜ＴＡ１１において第３のネットワークスライス４０３を使用することができない（交差斜線エリアによって示すように）。
【００５４】
一実施形態によれば、ＮＥＳＡＲは、ＵＥが特定のネットワークスライスにアクセスしないように制限すべきか否かにおいて、運営者のポリシを考慮に入れる。
【００５５】
ＮＥＳＡＲは、たとえネットワークスライスがあるエリアにおいて利用可能である（例えば、展開されている、又は、ネットワークによって提供されている、例えば、適切なサブスクリプションによって使用可能である）場合であっても、ＵＥが、そのエリアにおいて特定のネットワークスライスにアクセスすることを認可されているか否かを示すことがさらに留意されるべきである。
【００５６】
加えて、粒度に関して、Ｓ−ＮＳＳＡＩは、登録エリアレベルにおいて、すなわち、トラッキングエリアレベルにおいて生じる図４のＮＥＳＡＲよりも粗い粒度で、拒絶され得る。
【００５７】
さらに、様々な実施形態によれば、ＵＥは、ＵＥが位置するエリアにおいて制限されているネットワークスライスに登録を要求することを回避することができるように、制限に関して通知され得る。
【００５８】
ＮＥＳＡＲ機構は、以下のうちの１つ又は複数に基づいて実装することができる。
１）ＡＭＦ及び／又はＮＳＳＦにおいて利用可能なローカルポリシ、
２）ＰＣＦ増強及びＡＭＦへのＮＥＳＡＲ情報の提供、
３）ＡＵＳＦ（認証サーバ機能）増強、
４）ＡＵＳＦ又はＰＣＦ増強を伴うＮＳＳＦ、
５）ＵＤＭ増強及びＡＭＦへのＮＥＳＡＲ情報の提供。
【００５９】
図５は、ＡＭＦ及び／又はＮＳＳＦにおいて利用可能なローカルポリシに基づく実施態様を示すメッセージフロー図５００を示す。
【００６０】
メッセージフローは、ＵＥ５０１、ＲＡＮ５０２、初期ＡＭＦ５０３、ターゲットＡＭＦ５０４、ＮＳＳＦ５０５、ＮＲＦ５０６及びＵＤＭ５０７の間で行われる。
【００６１】
実線によるすべてのシグナリングステップは必須であり、点線によるすべての他のシグナリングステップは任意選択であることが留意されるべきである。
【００６２】
５０８、５０９、５１０は図３の３０６、３０７、３０８に対応する。
【００６３】
５１１において、（初期）ＡＭＦ３０３が、加入されているＮＳＳＡＩに関して、すべての要求されているＮＳＳＡＩにサービスすることができるか否かをチェックする。真である場合、５１３〜５１５はスキップされる（５１６〜５２０も同様にスキップされてもよい）。そうでない場合、５１２がスキップされる。
【００６４】
スキップされない場合、５１２において、ＡＭＦ５０３が、ＵＥ５０１が位置する特定のエリア（例えば、ＵＥ５０１が位置するトラッキングエリア又は登録エリア）において、ＵＥ５０１がネットワークスライスにアクセスすることを認可されているか否かについて、ＡＭＦのローカルポリシをチェックする。
【００６５】
代替的に、５１２がスキップされる場合、５１４において、５１３における初期ＡＭＦ５０３によるスライス選択要求後に、ＮＳＳＦ５０５が、ＵＥ５０１が位置する特定のエリア（例えば、ＵＥ５０１が位置するトラッキングエリア又は登録エリア）において、ＵＥ５０１がネットワークスライスにアクセスすることを認可されているか否かについて、ＮＳＳＦのローカルポリシをチェックする。
【００６６】
さらに、ＡＭＦ５０３又はＮＳＳＦ５０５が、加入されているＳ−ＮＳＳＡＩに基づいて容認される、要求されているＮＳＳＡＩ内のＳ−ＮＳＳＡＩのリストである、認可されているＮＳＳＡＩを判定し、要求されているＳ−ＮＳＳＡＩ内にあるが、認可されているＮＳＳＡＩに含まれないＳ−ＮＳＳＡＩのリストである、拒絶されているＮＳＳＡＩを判定する。
【００６７】
ＮＳＳＦ５０５がこの判定作業を実施する場合、ＮＳＳＦは、５１５において、スライス選択応答をＡＭＦ５０３に送信する。
【００６８】
その後、それらのステップがスキップされない場合、５１６における旧ＡＭＦの通知、５１７及び５１８におけるネットワーク機能発見要求及び応答、並びに、５１９及び５２０における初期ＡＭＦ５０３とターゲットＡＭＦ５０４との間のメッセージ交換及び再ルーティングのような、さらなるメッセージ交換が実行される。
【００６９】
加えて、５２１におけるＡＵＳＦ選択及び５２２における認証及びセキュリティ設定、並びに、可能なさらなる動作５２３が実施される。
【００７０】
５２４において、（ターゲット）ＡＭＦ５０４が、許容されているＮＳＳＡＩ、一時的に拒絶されているＮＳＳＡＩ及びＮＥＳＡＲ情報、例えばＮＥＳＡＲテーブル４０８を伴う登録承認を、ＲＡＮ５０２を介してＵＥ５０１に送信する。ＮＥＳＡＲは、５２４に示すように、分離したパラメータとして送信されてもよい。代替的に、ＮＥＳＡＲは、アクセス及びモビリティ制御ポリシの一部分として含まれてもよい。その後、ＵＥ５０１は、認可されているＮＳＳＡＩ、一時的に拒絶されているＮＳＳＡＩ及びＮＥＳＡＲ情報を格納する。ＲＡＮ５０２もまた、さらなる使用のために、例えば、ＵＥが登録要求、又は、特定のネットワークスライスの特定のＰＤＵセッションを求める要求を送信するときのＮＥＳＡＲの増強のために、ＮＥＳＡＲ情報を格納することができる。
【００７１】
図６は、ＰＣＦ増強に基づく実施態様及びＡＭＦへのＮＥＳＡＲ情報の提供を示すメッセージフロー図６００を示す。
【００７２】
メッセージフローは、ＵＥ６０１、ＲＡＮ６０２、新たなＡＭＦ６０３、旧ＡＭＦ６０４、ＰＣＦ６０５、ＳＭＦ６０６、ＡＵＳＦ６０７及びＵＤＭ６０８の間で行われる。
【００７３】
実線によるすべてのシグナリングステップは必須であり、点線によるすべての他のシグナリングステップは任意選択であることが留意されるべきである。
【００７４】
６０９において、ＵＥ６０１が、図３の３０６のような登録要求をＲＡＮ６０２に送信する。
【００７５】
６１０において、ＲＡＮ６０２が、ＡＭＦを選択し、６１１において、登録要求を選択されたＡＭＦ（新たなＡＭＦ６０３であると仮定される）に転送する。
【００７６】
６１２及び６１３において、新たなＡＭＦ６０３及び旧ＡＭＦ６０４が、ＵＥ６０１に対するコンテキスト転送を実施する。
【００７７】
６１４及び６１５において、ＡＭＦ６０３が、ＵＥ６０１から識別情報を取得する。
【００７８】
６１６において、ＡＭＦ６０３が、ＡＵＳＦ選択を実施する。
【００７９】
６１７において、認証及びセキュリティ設定が実施される。
【００８０】
６１８において、ＡＭＦ６０３が、登録完了について、旧ＡＭＦ６０４に通知する。
【００８１】
６１９において、ＵＥ６０１及びＡＭＦ６０３が、アイデンティティ要求／応答を交換する。
【００８２】
６２０及び６２１において、ＡＭＦ６０３が、アイデンティティチェックのためのメッセージを、機器アイデンティティレジスタ（ＥＩＲ：Ｅｑｕｉｐｍｅｎｔ  Ｉｄｅｎｔｉｔｙ  Ｒｅｇｉｓｔｅｒ）と交換する。
【００８３】
６２２において、ＡＭＦ６０３が、ＵＤＭ選択を実施し、６２３において、ＵＤＭ６０８からの登録及びサブスクリプション取り出しを実施する。
【００８４】
６２４において、ＵＤＭ６０８が、旧ＡＭＦ６０４に登録解除通知を送信する。
【００８５】
６２５において、ＡＭＦ６０３が、ＰＣＦ選択を実施する。
【００８６】
６２６において、ＡＭＦ６０３が、ＰＣＦ６０５からＮＥＳＡＲ情報を要求する。
【００８７】
その後、ＰＣＦ６０５が、ポリシサブスクリプション関連情報を取得する。この情報が利用可能でない場合、ＰＣＦ６０５が、ＵＥサブスクリプションリポジトリからこの情報を取り出し、６２７において、ＰＣＦ６０５が、６２６のＡＭＦの要求（例えば、Ｎｐｃｆ＿ＡＭＰｏｌｉｃｙＣｏｎｔｒｏｌ＿Ｇｅｔサービス動作）に応答し、アクセス及びモビリティ制御（ＡＭＣ）規則並びにＵＥポリシを提供する。応答は、ＮＥＳＡＲ情報、例えば、ＮＥＳＡＲテーブル４０８を含む。
【００８８】
その後、ＡＭＦ６０３は、ＡＭＣポリシを展開し、これは例えば、ＮＥＳＡＲ情報を格納することを含む。
【００８９】
６２８において、ＡＭＦ６０３が、ＵＥがＰＤＵ（パケットデータユニット）ステータスに到達可能な状態にあることに関して、ＳＭＦ６０６に通知し、６２９及び６３０において、Ｎ３ＩＷＦ（非３ＧＰＰ相互作用機能）とのＮ２要求／応答交換を実施する。
【００９０】
６３１及び６３２において、旧ＡＭＦ６０４が、ＰＣＦ６０５とのポリシ制御消去メッセージ交換を実施する。
【００９１】
６３３において、ＡＭＦ６０３が、登録承認をＵＥポリシ及びＮＥＳＡＲ情報とともに、ＲＡＮ６０２を介してＵＥ６０１に送信する。ＲＡＮ６０２もまた、さらなる使用のために、例えば、ＮＥＳＡＲの増強のためにＮＥＳＡＲ情報を格納することができる。
【００９２】
６３４において、ＵＥ６０１が、対応する確認応答を送信する。
【００９３】
図５及び図６に示すように、特定のネットワークスライスに対するアクセスが制限される移動ネットワーク内のエリア（例えば、ＲＡ又はＴＡ）に関するポリシは、多くの場所、例えば、ＡＭＦ／ＮＳＳＦ（図５）又はＰＣＦ／ＵＤＭ（図６）において利用可能になり得る。
【００９４】
図５と図６の両方において、登録手順の間、ＡＭＦはＮＥＳＡＲ情報（ＮＥＳＡＲポリシに対応する）を有し、この情報をＡＭＦに格納し、そのようなＮＥＳＡＲポリシを執行し、ＲＡＮを介してＵＥにＮＥＳＡＲ情報を送信することができる。
【００９５】
ＲＡＮ又はＵＥ又はその両方は、ＲＡＮ又はＵＥにおいて将来、ＮＥＳＡＲポリシをさらに増強するために、そのようなＮＥＳＡＲ情報を格納することができる。例えば、ＮＥＳＡＲポリシがＵＥに格納される場合、ＵＥが特定のネットワークスライス又は特定のサービスにアクセスすることを認可されていないエリアにＵＥが入ると、ＵＥは、ＵＥがアクセスしないように制限されているサービス又は特定のネットワークスライスに対するセッションの確立を求める要求を送信しない。ＮＥＳＡＲポリシはＲＡＮのみに格納され、ＵＥには格納されない場合、ＵＥは、ＵＥがアクセスすることを認可されていないエリアにおける特定のネットワークスライスに対するセッションの確立を求める要求を送信することができ、その後、ＲＡＮは、ＵＥの要求に対する拒絶を直ちに送信することができ、要求をコアネットワークに転送する必要はない。
【００９６】
ネットワークスライスがネットワーク運営者によって所有される、すなわち、ネットワーク運営者がサービスを自身の顧客に直接的に提供する場合、ネットワーク運営者は、ＵＥのサブスクリプションプロファイルにおいて特定のネットワークスライスに対する制限エリア（すなわち、特定のＵＥに対する特定のエリアにおけるネットワークスライスへのアクセスの制限）を構成することができ、又は、自身のネットワーク内のネットワーク機能のうちの１つ、例えば、ＰＣＦ、又はＡＭＦ、又はＮＳＳＦなどにおいてこの制限領域を直接的に構成することができる。
【００９７】
ネットワークスライスがネットワーク運営者によって展開されるが、ネットワークスライスを展開することを求める要求が、顧客にサービスを提供するサードパーティサービスプロバイダから入来している場合、サードパーティのサービスは、運営者のネットワークの外部にあるアプリケーション機能（例えば、サーバ）を所有することができる。運営者のネットワークの外部のこのアプリケーション機能／サーバは、サードパーティサービスプロバイダが、ＵＥ又はＵＥ群を、特定の領域又はエリアにおいて特定のネットワークスライスにアクセスすることが可能でないように制限することを所望するという要求を、運営者に送信することができる。運営者のネットワークは、そのような要求を受信すると、その要求を、運営者のネットワーク内のネットワーク機能のうちの１つに送信して、必要に応じて、そのようなネットワークスライス制限エリアポリシ（又はネットワークスライス制限エリア構成）をネットワーク機能に格納し、ネットワークスライス制限エリアポリシ（又は構成）を執行することができる。
【００９８】
図７は、移動通信ネットワークの外部のアプリケーション機能による移動通信ネットワークにおけるネットワークスライスエリア制限の構成を示すフロー図７００である。
【００９９】
メッセージフローは、ＵＥ７０１、ＲＡＮ７０２、ＡＭＦ７０３、ＰＣＦ７０４、ＮＥＦ（ネットワーク露出機能）７０５及びＡＦ（アプリケーション機能）７０６の間で行われる。
【０１００】
７０７において、ＡＦ７０６がＡＦ要求を作成する。
【０１０１】
７０８において、ＡＦ７０６が、ＮＥＦ７０５にＡＦ要求を送信する。この送信は、新たなメッセージタイプ（例えば、ＡＦスライス制限領域要求）によって、又は、既存の、ただしこの要求がスライス制限要求に対するものであることを示す新たなパラメータを有するメッセージ要求を使用して実施することができる。
【０１０２】
７０９において、ＮＥＦ７０５が、ＡＦ要求内の１つ又は複数のパラメータを、運営者のネットワーク内のＮＦによって理解される対応するパラメータにマッピングする。例えば、このマッピングは、ＡＦによって送信されるＳｌｉｃｅＩｎｆｏ／ＡＦ−Ｓｅｒｖｉｃｅ−Ｉｄｅｎｔｉｆｉｅｒを、ネットワーク運営者によって構成され、外部に露出されないＳ−ＮＳＳＡＩパラメータにマッピングすることを含むことができる。代替的に、ＡＦ７０６がそのような情報をネットワーク運営者によって提供される場合、ＡＦ７０６はまた、Ｓ−ＮＳＳＡＩをＮＥＦ７０５に直接的に提供することもできる。このステップは例えばまた、ＡＦの制限エリア（例えば、１つ又は複数の地理的ゾーン識別子の形態の）を、運営者のネットワーク内で展開される実際のエリアのうちの１つ又は複数のエリアに（例えば、ＴＡ又はＲＡのリストに）マッピングすることも含むことができる。
【０１０３】
７１０において、ＮＥＦ７０５が、ネットワークスライスエリア制限を求める要求をターゲットＰＣＦ７０４に転送する。
【０１０４】
７１１及び７１２において、ＰＣＦ７０４が、ＡＦエリア制限応答を、ＮＥＦ７０５を介してＡＦ７０６に送信する。
【０１０５】
７１３において、ＰＣＦ７０４が、ネットワークスライスエリア制限情報を格納する。
【０１０６】
７１４及び７１５において、第１の選択肢として、ＰＣＦ７０４が、ネットワークスライスエリア制限を更新するために、ＡＭＦ７０３とメッセージを交換してもよい。
【０１０７】
第２の選択肢として、このメッセージ交換は、７１６〜７１９においてＳＭＦを介して実施されてもよい。
【０１０８】
７２０において、ＡＭＦ７０３が、ネットワークスライスエリア制限の更新を格納する。
【０１０９】
７２１において、ＡＭＦ７０３が、任意選択的に、ネットワークスライスエリア制限の更新に従ってＵＥ構成を更新すべきか否か、又は、ＵＥ７０１が再登録を必要とするか否かを決定してもよい。
【０１１０】
７２２及び７２３において、ＡＭＦ７０３及びＵＥ７０１は、更新ＮＥＳＡＲ情報に関してＵＥを更新するための、ＵＥ構成の更新のために、メッセージを交換することができ、更新ＮＥＳＡＲ情報は、ステップ７２３において送信される新たなパラメータであってもよく、又は、アクセス及びモビリティ制御（ＡＭＣ）規則並びにＵＥポリシの一部分としての新たな情報であってもよい。
【０１１１】
図８は、サードパーティＡＡＡ（認証、認可及びアカウンティング）サーバによるネットワークスライス領域制限の構成を求める要求を示すフロー図８００を示す。
【０１１２】
メッセージフローは、ＵＥ８０１、ＲＡＮ８０２、ＡＭＦ８０３、ＵＤＭ８０４、及びサードパーティＡＡＡサーバ８０５の間で行われる。
【０１１３】
８０６において、ＡＡＡサーバ８０５が、ＵＥに対するスライスエリア制限の変更に関与する、ＵＥに関するサブスクリプション変更を実施する。
【０１１４】
８０７において、ＡＡＡサーバ８０５が、ＵＥ、スライス又はＡＦサービス識別情報及び制限領域を指定するサブスクリプション更新要求を、ＵＤＭ８０４に送信する。
【０１１５】
８０８において、ＵＤＭ８０４が、ＡＦ要求内の１つ又は複数のパラメータを、運営者のネットワーク内のＮＦによって理解される対応するパラメータにマッピングする。例えば、このマッピングは、ＡＦによって送信されるＳｌｉｃｅＩｎｆｏ／ＡＦ−Ｓｅｒｖｉｃｅ−Ｉｄｅｎｔｉｆｉｅｒを、ネットワーク運営者によって構成され、外部に露出されないＳ−ＮＳＳＡＩパラメータにマッピングすることを含むことができる。代替的に、ＡＦ８０５がそのような情報をネットワーク運営者によって提供される場合、ＡＦ８０５はまた、Ｓ−ＮＳＳＡＩをＵＤＭ８０４に直接的に提供することもできる。このステップは例えばまた、ＡＡＡサーバ８０５によって送信される制限エリア（例えば、１つ又は複数の地理的ゾーン識別子の形態の）を、運営者のネットワーク内で展開される実際のエリアのうちの１つ又は複数のエリアに（例えば、ＴＡ又はＲＡの対応するリストに）マッピングすることも含むことができる。
【０１１６】
８０９において、ＵＤＭ８０４が、ネットワークスライスエリア制限を求める要求をターゲットＡＭＦ８０３に転送する。
【０１１７】
８１０において、ＵＤＭ８０４が、ＡＡＡサーバ８０５にサブスクリプション更新応答を送信する。
【０１１８】
８１１において、ＡＭＦ８０３が、スライスエリア制限の更新を格納する。
【０１１９】
８１２において、ＡＭＦ８０３が、任意選択的に、ネットワークスライスエリア制限の更新に従ってＵＥ構成を更新すべきか否か、又は、ＵＥ８０１が再登録を必要とするか否かを決定してもよい。
【０１２０】
８１３及び８１４において、ＡＭＦ８０３及びＵＥ８０１は、更新ＮＥＳＡＲ情報に関してＵＥを更新するための、ＵＥ構成の更新のために、メッセージを交換することができ、更新ＮＥＳＡＲ情報は、ステップ７２３において送信される新たなパラメータであってもよく、又は、アクセス及びモビリティ制御（ＡＭＣ）規則並びにＵＥポリシの一部分としての新たな情報であってもよい。
【０１２１】
要約すると、様々な実施形態によれば、図９に示すような方法が提供される。
【０１２２】
図９は、通信サービスに対するアクセスを許可するための方法を示すフロー図９００を示す。
【０１２３】
９０１において、移動通信ネットワークの加入者端末から、移動通信ネットワークが特定の領域内で提供する、特定の領域における通信サービスの使用を求める要求が受信される。
【０１２４】
９０２において、加入者端末のサブスクリプション及び／又は移動通信ネットワーク運営者のポリシに基づいて、加入者端末が、特定の領域において通信サービスを使用することを認可されるか否かが決定される。
【０１２５】
９０３において、加入者端末のサブスクリプション及び／又は移動通信ネットワーク運営者のポリシに基づいて、加入者端末が、特定の領域において通信サービスを使用することを認可されるか否かに応じて、加入者端末が、通信サービスにアクセスすることを許可される。
【０１２６】
特定の領域は、地理的領域であってもよく、又は、論理的領域であってもよい。例えば、特定の領域は、１つ若しくは複数のトラッキングエリアのセット、又は、１つ若しくは複数の登録エリアのセットである。
【０１２７】
移動通信ネットワーク運営者のポリシは、アクセスポリシと考えることができる。
【０１２８】
言い換えると、様々な実施形態によれば、移動通信ネットワークは、移動端末サブスクリプションに基づいて、特定の位置又は特定のエリアにおける通信サービス（例えば、特定のコアネットワークスライスに対応するか又は特定のＲＡＮネットワークスライスに対応する）の使用を制限するための機構を備える。この制限は、運営者ポリシを考慮に入れることを含む。例えば、ＵＥによる、特定のエリアにおける特定のネットワークスライスへのアクセスは、例えば、移動通信ネットワーク運営者のポリシ、及び／又は、ＵＥのサブスクリプションプロファイルに基づいて制限される。様々な実施形態によれば、移動通信ネットワークは、例えば、トラッキングエリアの粒度によって、ＵＥのサブスクリプションプロファイルと運営者のポリシの両方を考慮に入れることによって、ネットワークの運営者が、ＵＥに対して特定のエリアにおける特定のネットワークスライスへのアクセスを制限することを可能にする機構を備える。
【０１２９】
加入者端末のサブスクリプションに基づく、加入者端末が特定の領域における通信サービスを使用することを認可される（すなわち、使用する権利を有する）か否かの決定は、特定の通信サービス及び特定のサブスクリプション、例えば、サブスクリプションタイプ（標準又はプレミアムなど）並びに特定の領域（例えば、ネットワーク運営者によって決定されるトラッキングエリア又は登録エリア）について、そのタイプのサブスクリプションを有する移動端末が、特定の領域において通信サービスを使用することができるか否かを指定するデータに基づいて実施することができる。データは、複数の特定の領域、複数のサブスクリプションタイプ及び複数の通信サービスについて、この情報を含むことができる。
【０１３０】
特定の領域において提供されている通信サービスは、特定の領域において利用可能であるか又は特定の領域に対して展開されている通信領域として理解することができることが留意されるべきである。これは、加入者端末が適切なサブスクリプションを有する場合に加入者端末によって通信サービスが使用可能であることを意味する。加入者端末が適切なサブスクリプションを有さず、通信サービスを使用することができない場合、依然として、特定の領域において通信サービスを使用することを可能にするサブスクリプションを有する１つ又は複数の他の加入者端末が存在する可能性がある。
【０１３１】
図９の方法は、例えば、図１０に示すような移動通信ネットワーク構成要素構成によって実行される。
【０１３２】
図１０は、移動通信ネットワーク構成要素構成１０００を示す。
【０１３３】
移動通信ネットワーク構成要素構成１０００は、移動通信ネットワークの加入者端末から、移動通信ネットワークが特定の領域内で提供する、特定の領域における通信サービスの使用を求める要求を受信するように構成されている受信機１００１を備える。
【０１３４】
さらに、移動通信ネットワーク構成要素構成１０００は、加入者端末のサブスクリプション及び／又は運営者のポリシに基づいて、加入者端末が、特定の領域において通信サービスを使用することを認可されるか否かを決定するように構成されている決定手段１００２を備える。
【０１３５】
移動通信ネットワーク構成要素構成１０００は、加入者端末のサブスクリプション及び／又は運営者のポリシに基づいて、加入者端末が、特定の領域において通信サービスを使用することを認可されるか否かに応じて、加入者端末が通信サービスにアクセスすることを許可するように構成されているアクセスコントローラ１００３をさらに備える。
【０１３６】
例えば、図７及び図８の例に対応する、ネットワークスライスエリア制限を構成するための要求者として機能する、移動通信構成要素構成に接続されるサードパーティサービスプロバイダが存在し得ることが留意されるべきである。
【０１３７】
様々な実施形態によれば、図１１に示すような方法が提供される。
【０１３８】
図１１は、通信サービスを要求するための方法を示すフロー図１１００を示す。
【０１３９】
１１０１において、加入者端末が、１つ又は複数の通信サービスの各々及び１つ又は複数の特定の領域の各々について、加入者端末のサブスクリプション及び／又は運営者のポリシに基づいて、加入者端末が、特定の領域において通信サービスを使用することを認可されるか否かを指定する情報を、移動通信ネットワークから受信する。
【０１４０】
１１０２において、加入者端末が、上記情報に基づいて特定の領域における通信サービスの使用を要求する。
【０１４１】
図１１の方法は、例えば、図１２に示すような加入者端末によって実行される。
【０１４２】
図１２は、移動通信システムの加入者端末１２００を示す。
【０１４３】
加入者端末１２００は、１つ又は複数の通信サービスの各々及び１つ又は複数の特定の領域の各々について、加入者端末のサブスクリプション及び／又は運営者のポリシに基づいて、加入者端末が、特定の領域において通信サービスを使用することを認可されるか否かを指定する情報を、移動通信ネットワークから受信するように構成されている受信機１２０１を備える。
【０１４４】
さらに加入者端末１２００は、上記情報に基づいて特定の領域における通信サービスの使用を要求するように構成されている送受信機１２０２を備える。
【０１４５】
様々な実施例を下記に説明する。
【０１４６】
実施例１は、図９に示すような、通信サービスに対するアクセスを許可するための方法である。
【０１４７】
実施例２は、加入者端末が、特定の領域において通信サービスを使用することを認可されるか否かを決定するステップが、サードパーティサービスプロバイダによる要求にさらに基づく、実施例１に記載の方法である。
【０１４８】
実施例３は、特定の領域が登録エリアであるか、又は、特定の領域がトラッキングエリアである、実施例１又は２に記載の方法である。
【０１４９】
実施例４は、１つ又は複数の通信サービスの各々及び１つ又は複数の特定の領域の各々について、加入者端末が、特定の領域において通信サービスを使用することを認可されるか否かを指定する情報を、加入者端末に送信するステップをさらに含む、実施例１〜３のいずれか１つに記載の方法である。
【０１５０】
実施例５は、移動通信ネットワークが、コアネットワーク及び／又は無線アクセスネットワーク内のネットワークスライスによって通信サービスを提供する、実施例１〜４のいずれか１つに記載の方法である。
【０１５１】
実施例６は、通信サービスを使用することを認可されている加入者端末が、コアネットワーク及び／又は無線アクセスネットワーク内のネットワークスライスにアクセスすることを認可されている加入者端末を含む、実施例１〜５のいずれか１つに記載の方法である。
【０１５２】
実施例７は、加入者端末のサブスクリプション及び／又は移動通信ネットワーク運営者のポリシに基づいて、加入者端末が、特定の領域において通信サービスを使用することを認可されるか否かを決定するステップが、ネットワークスライスエリア制限情報を決定するステップを含み、ネットワークスライスエリア制限情報に基づいて、加入者端末が、通信サービスにアクセスすることを許可される、実施例１〜６のいずれか１つに記載の方法である。
【０１５３】
実施例８は、ネットワークスライスエリア制限情報が、コアネットワーク又は無線アクセスネットワーク内の１つ又は複数のネットワークスライスの各々、及び、１つ又は複数の特定の領域の各々について、加入者端末が、特定の領域においてネットワークスライスにアクセスすることを認可されるか否かを指定する、実施例７に記載の方法である。
【０１５４】
実施例９は、ネットワークスライスエリア制限情報を加入者端末に送信するステップをさらに含む、実施例１〜８のいずれか１つに記載の方法である。
【０１５５】
実施例１０は、決定するステップが、移動通信ネットワークのアクセス及びモビリティ管理機能、ネットワークスライス選択機能、ポリシ制御機能、認証サーバ機能又は統合データリポジトリのうちの少なくとも１つによって格納される情報に基づいて実施される、実施例１〜９のいずれか１つに記載の方法である。
【０１５６】
実施例１１は、許可するステップが、移動通信ネットワークのアクセス及びモビリティ管理機能によって実施される、実施例１〜１０のいずれか１つに記載の方法である。
【０１５７】
実施例１２は、図１０に示すような移動通信ネットワーク構成要素構成である。
【０１５８】
実施例１３は、決定手段が、サードパーティサービスプロバイダによる要求にさらに基づいて、加入者端末が、特定の領域において通信サービスを使用することを認可されるか否かを決定するように構成されている、実施例１２に記載の移動通信ネットワーク構成要素構成である。
【０１５９】
実施例１４は、特定の領域が登録エリアであるか、又は、特定の領域がトラッキングエリアである、実施例１２又は１３に記載の移動通信ネットワーク構成要素構成である。
【０１６０】
実施例１５は、１つ又は複数の通信サービスの各々及び１つ又は複数の特定の領域の各々について、加入者端末が、特定の領域において通信サービスを使用することを認可されるか否かを指定する情報を、加入者端末に送信するように構成されている送信機をさらに備える、実施例１２〜１４のいずれか１つに記載の移動通信ネットワーク構成要素構成である。
【０１６１】
実施例１６は、移動通信ネットワークが、コアネットワーク及び／又は無線アクセスネットワーク内のネットワークスライスによって通信サービスを提供する、実施例１２〜１５のいずれか１つに記載の移動通信ネットワーク構成要素構成である。
【０１６２】
実施例１７は、通信サービスを使用することを認可されている加入者端末が、コアネットワーク及び／又は無線アクセスネットワーク内のネットワークスライスにアクセスすることを認可されている加入者端末を含む、実施例１２〜１６のいずれか１つに記載の移動通信ネットワーク構成要素構成である。
【０１６３】
実施例１８は、決定手段が、ネットワークスライスエリア制限情報を決定することによって、加入者端末のサブスクリプション及び／又は移動通信ネットワーク運営者のポリシに基づいて、加入者端末が、特定の領域において通信サービスを使用することを認可されるか否かを決定するように構成され、アクセスコントローラは、ネットワークスライスエリア制限情報に基づいて、加入者端末が、通信サービスにアクセスすることを許可する、実施例１２〜１７のいずれか１つに記載の移動通信ネットワーク構成要素構成である。
【０１６４】
実施例１９は、ネットワークスライスエリア制限情報が、コアネットワーク又は無線アクセスネットワーク内の１つ又は複数のネットワークスライスの各々、及び、１つ又は複数の特定の領域の各々について、加入者端末が、特定の領域においてネットワークスライスにアクセスすることを認可されるか否かを指定する、実施例１２〜１８に記載の移動通信ネットワーク構成要素構成である。
【０１６５】
実施例２０は、ネットワークスライスエリア制限情報を加入者端末に送信するステップをさらに含む、実施例１２〜１９のいずれか１つに記載の移動通信ネットワーク構成要素構成である。
【０１６６】
実施例２１は、決定するステップが、移動通信ネットワークのアクセス及びモビリティ管理機能、ネットワークスライス選択機能、ポリシ制御機能、認証サーバ機能又は統合データリポジトリのうちの少なくとも１つによって格納される情報に基づいて実施される、実施例１２〜２０のいずれか１つに記載の移動通信ネットワーク構成要素構成である。
【０１６７】
実施例２２は、許可するステップが、移動通信ネットワークのアクセス及びモビリティ管理機能によって実施される、実施例１２〜２１のいずれか１つに記載の移動通信ネットワーク構成要素構成である。
【０１６８】
実施例２３は、図１１に示すような、通信サービスを要求するための方法である。
【０１６９】
実施例２４は、加入者端末が、特定の領域において通信サービスを使用することを認可されていない場合に、加入者端末が、特定の領域において通信サービスを使用することを要求することを回避するステップを含む、実施例２３に記載の方法である。
【０１７０】
実施例２５は、特定の領域が登録エリアであるか、又は、特定の領域がトラッキングエリアである、実施例２３又は２４に記載の方法である。
【０１７１】
実施例２６は、移動通信ネットワークが、コアネットワーク及び／又は無線アクセスネットワーク内のネットワークスライスによって通信サービスを提供し、通信サービスを使用することを要求するステップは、ネットワークスライスに対するアクセスを要求するステップである、実施例２３〜２５のいずれか１つに記載の方法である。
【０１７２】
実施例２７は、図１２に示すような、移動通信システムの加入者端末である。
【０１７３】
実施例２８は、加入者端末が、特定の領域において通信サービスを使用することを認可されていない場合に、特定の領域において通信サービスを使用することを要求することを回避するように、送受信機が構成されている、実施例２７に記載の加入者端末である。
【０１７４】
実施例２９は、特定の領域が登録エリアであるか、又は、特定の領域がトラッキングエリアである、実施例２７又は２８に記載の加入者端末である。
【０１７５】
実施例３０は、移動通信ネットワークが、コアネットワーク及び／又は無線アクセスネットワーク内のネットワークスライスによって通信サービスを提供し、通信サービスを使用することを要求するステップは、ネットワークスライスに対するアクセスを要求するステップである、実施例２７〜２９のいずれか１つに記載の加入者端末である。
【０１７６】
実施例３１は、通信サービスに対するアクセスを許可する構成を要求するための方法であって、移動通信ネットワークが特定の領域において提供する通信サービスを加入者端末が使用することを認可することが、加入者端末のサブスクリプション及び／又はアクセスポリシに基づくべきであることを指定する要求を、移動通信ネットワークに送信するステップを含む、方法である。
【０１７７】
実施例３２は、特定の領域が登録エリアであるか、又は、特定の領域がトラッキングエリアである、実施例３１に記載の方法である。
【０１７８】
実施例３３は、通信サービスに対するアクセスを許可する構成を要求するための通信ネットワーク構成要素であって、移動通信ネットワークが特定の領域において提供する通信サービスを加入者端末が使用することを認可することが、加入者端末のサブスクリプション及び／又はアクセスポリシに基づくべきであることを指定する要求を、移動通信ネットワークに送信するように構成されている送信機を備える、通信ネットワーク構成要素である。
【０１７９】
実施例３４は、特定の領域が登録エリアであるか、又は、特定の領域がトラッキングエリアである、実施例３３に記載の通信ネットワーク構成要素である。
【０１８０】
さらなる実施例によれば、ユーザ機器（ＵＥ）による移動通信ネットワーク内の特定のネットワークスライスへのアクセスを制限するための方法が提供され、方法は、
・無線アクセスネットワーク（ＲＡＮ）が、ＵＥが移動通信ネットワークにアクセスすることを可能にするステップと、
・移動通信ネットワークの移動コアネットワークが、異なるネットワークスライスタイプのネットワークスライスのセットから構成されるステップと、
・ＵＥが、移動通信ネットワークにアクセスし、ネットワークスライスのセットの特定のネットワークスライスにアクセスするステップと、
・アクセス及びモビリティ管理機能（ＡＭＦ）が、ＵＥが移動通信ネットワークにアクセスするためのモビリティ管理及び移動ネットワークアクセス制御を処理するステップと、
・ＵＥサブスクリプションプロファイル（ユーザデータリポジトリ、ＵＤＲ）が、ＵＥの関連するネットワークスライス情報を格納するステップと、
・ネットワーク機能が、ＵＥが特定のエリアにおいてアクセスを認可されていない１つ又は複数のネットワークスライスのリストを含む、移動通信ネットワークのＵＥのポリシを格納するステップと、
・ネットワーク機能が、運営者のポリシを執行するためのネットワーク機能に、又は、無線アクセスネットワークに、又は、ＵＥに、運営者のポリシを提供するステップと、
・ネットワーク機能が、ＵＥが特定のエリアにおいてアクセスを認可されていない１つ又は複数のネットワークスライスのリストを含む、運営者のポリシを執行するステップと、
を含む。
【０１８１】
ＵＥが特定のエリアにおいてアクセスを認可されていない１つ又は複数のネットワークスライスのリストを含む、運営者のポリシを格納するネットワーク機能は、例えば、ポリシ制御機能（ＰＣＦ）又はユーザデータリポジトリ（ＵＤＲ）又はアクセス及びモビリティ管理機能（ＡＭＦ）、又はネットワークスライス選択機能（ＮＳＳＦ）であってもよい。
【０１８２】
運営者のポリシを執行するためのネットワーク機能に運営者のポリシを提供するネットワーク機能は、例えば、ＰＣＦ、ＡＭＦ、ＵＤＭ、又はＮＳＳＦであってもよい。
【０１８３】
ＵＥが特定のエリアにおいてアクセスを認可されていない１つ又は複数のネットワークスライスのリストを含む、運営者のポリシを執行するネットワーク機能は、例えば、ＡＭＦ又はＲＡＮであってもよい。さらに、ＵＥはまた、運営者のポリシを執行して、例えば、ネットワークスライスにアクセスすることを認可されていない特定のエリア／領域においてネットワークスライスへのアクセスを要求することを回避することもできる。
【０１８４】
上記の実施例のうちの１つの文脈において記載されている実施形態及び特徴は、同様に、他の実施例のうちのいずれか１つに適用することができることが留意されるべきである。
【０１８５】
移動通信ネットワーク構成要素構成及び加入者端末の構成要素（例えば、受信機、送受信機、決定手段及びアクセスコントローラ）は、例えば、１つ又は複数の回路によって実装されてもよい。「回路」は、専用回路、又は、メモリ、ファームウェア、若しくはそれらの任意の組み合わせに記憶されているプロセッサ実行ソフトウェアであってもよい、任意の種類の論理実装エンティティとして理解され得る。したがって、「回路」は、ハードワイヤード論理回路、又は、例えばマイクロプロセッサなどのプログラム可能プロセッサのようなプログラム可能論理回路であってもよい。「回路」はまた、例えば任意の種類のコンピュータプログラムなどのプロセッサ実行ソフトウェアであってもよい。下記により詳細に説明するそれぞれの機能の任意の他の種類の実施態様も、「回路」として理解され得る。
【０１８６】
通信ネットワーク構成要素構成の構成要素は、単一のデバイス（例えば、単一のコンピュータ）によって、又は、分散システム、すなわち、移動通信ネットワークの複数のデバイスによって提供されてもよいことがさらに留意されるべきである。
【０１８７】
通信ネットワーク構成要素構成及び加入者端末は、そのネットワーク側が通信ネットワーク構成要素構成を備える、移動通信システム、例えば、５Ｇ通信システムの一部分であってもよい。
【０１８８】
特定の態様が記載されているが、添付の特許請求の範囲によって画定される本開示の精神及び範囲から逸脱することなく、形式及び詳細において様々な変更がなされ得ることが当業者には理解されるべきである。したがって、その範囲は添付の特許請求の範囲によって示され、それゆえ、特許請求の範囲と均等な意味及び範囲内に入るすべての変更が包含されるように意図されている。
【図１】
2020500433.tif 000003
【図２】
2020500433.tif 000004
【図３】
2020500433.tif 000005
【図４】
2020500433.tif 000006
【図５】
2020500433.tif 000007
【図６】
2020500433.tif 000008
【図７】
2020500433.tif 000009
【図８】
2020500433.tif 000010
【図９】
2020500433.tif 000011
【図１０】
2020500433.tif 000012
【図１１】
2020500433.tif 000013
【図１２】
2020500433.tif 000014
【国際調査報告】
2020500433.tif 000015
2020500433.tif 000016
2020500433.tif 000017